(57)【要約】【課題】シールド機の発進において、仮セグメントの代わりに中間支持材を使用し、仮掘進後の撤去作業を容易にすることであり、また、仮掘進中のセグメントの搬入・掘削土の搬出等を容易にすることである。【解決手段】シールド機２を元押しジャッキ１により推進した後、元押しジャッキ１の下段ジャッキ１１を縮めて、シールド機２と元押しジャッキ１の間に下段中間支持材５を挿入する。そして、元押しジャッキ１の上段ジャッキ１２・１３を縮めて、シールド機２と元押しジャッキ１の間に、上方に開放された上段中間支持材６を挿入する。次に、これら上段中間支持材６及び下段中間支持材５を介してシールド機２を元押しジャッキ１により推進する。【選択図】図６
2009079399.tif 000002
【特許請求の範囲】
【請求項１】
シールド機を元押しジャッキにより推進した後、
元押しジャッキの下段ジャッキを縮めて、シールド機と元押しジャッキの間に下段中間支持材を挿入してから、
元押しジャッキの上段ジャッキを縮めて、シールド機と元押しジャッキの間に、上方に開放された上段中間支持材を挿入し、
次に、これら上段中間支持材及び下段中間支持材を介してシールド機を元押しジャッキにより推進することを特徴とするシールド機の発進工法。
【請求項２】
前記シールド機がエントランスに入り込むまで、前記下段中間支持材の挿入、前記上段中間支持材の挿入、前記元押しジャッキによる推進を繰り返すことを特徴とする請求項１に記載のシールド機の発進工法。
【発明の詳細な説明】
【技術分野】
【０００１】
本発明は、シールド機の発進工法に関する。
【背景技術】
【０００２】
シールド機の発進工程において、元押しジャッキ、押し輪及びストラットが用いられる（例えば特許文献１参照）。
そして、立坑からの発進の場合、シールド機はエントランスに入り込むまで元押しジャッキにより推進され、その後、シールド機の推進ジャッキにより推進される（例えば特許文献２参照）。
【特許文献１】特開２００１−７３６８６号公報
【特許文献２】特開２００１−３２３７７４号公報
【発明の開示】
【発明が解決しようとする課題】
【０００３】
ところで、立坑から発進する場合、その直径方向にわたり仮セグメントを構築していかなければならず、仮掘進後は、その構築された仮セグメントを撤去する必要があった。
また、仮掘進中は、セグメントや資材の搬入および掘削土の搬出等を仮セグメントの後方よりすることとなり、狭い作業スペースの為、作業効率が悪くなった。
【０００４】
本発明の課題は、シールド機の発進において、仮セグメントの代わりに中間支持材を使用し、仮掘進後の撤去作業を容易にすることであり、また、仮掘進中のセグメントの搬入・掘削土の搬出等を容易にすることである。
【課題を解決するための手段】
【０００５】
以上の課題を解決するため、請求項１に記載の発明は、シールド機を元押しジャッキにより推進した後、元押しジャッキの下段ジャッキを縮めて、シールド機と元押しジャッキの間に下段中間支持材を挿入してから、元押しジャッキの上段ジャッキを縮めて、シールド機と元押しジャッキの間に、上方に開放された上段中間支持材を挿入し、次に、これら上段中間支持材及び下段中間支持材を介してシールド機を元押しジャッキにより推進することを特徴とする。
【０００６】
請求項２に記載の発明は、請求項１に記載のシールド機の発進工法であって、前記シールド機がエントランスに入り込むまで、前記下段中間支持材の挿入、前記上段中間支持材の挿入、前記元押しジャッキによる推進を繰り返すことを特徴とする。
【発明の効果】
【０００７】
本発明によれば、シールド機の発進において、仮セグメントの代わりに中間支持材を使用し、仮掘進後の撤去作業を容易にし、しかも、上方が開放された上段中間支持材を利用して仮掘進中のセグメント等の搬入作業および掘削土の搬出作業を容易に行うことができる。
【発明を実施するための最良の形態】
【０００８】
以下、図を参照して本発明を実施するための最良の形態を詳細に説明する。
図１は本発明を適用した一実施形態の構成として元押しジャッキ１とシールド機２のセット状態を示したもので、図示例において、元押しジャッキ１は、１段の下段ジャッキ１１及び２段の上段ジャッキ１２・１３を備えている。この元押しジャッキ１の前方位置に、図示のように、シールド機２がセットされている。
【０００９】
シールド機２は、２リングのセグメントを組んだセグメントリング３を、図示のように、押し輪４に当たるようにセットされている。セグメントリング３は、シールド機２のテールブラシ（テールパッキン）が押し輪４に当たらないところまで押し出されている。
【００１０】
次に、図２は元押しジャッキ１によるシールド機２の推進状態を示したもので、図示のように、元押しジャッキ１の下段ジャッキ１１及び上段ジャッキ１２・１３を押し出して押し輪４に当て、セグメントリング３及び不図示のシールドジャッキを介してシールド機２を推進する。このとき、元押しジャッキ１は下段ジャッキ１１及び上段ジャッキ１２・１３を押し切って止めた状態に保持して、次の中間支持材を入れる準備をする。
【００１１】
次に、図３は元押しジャッキ１の下段ジャッキ１１を縮めた状態を示したもので、図示のように、元押しジャッキ１の下段ジャッキ１１のみを縮めた状態に戻す。
【００１２】
次に、図４は元押しジャッキ１とシールド機２の間に下段中間支持材５を挿入した状態を示したもので、元押しジャッキ１の下段ジャッキ１１を縮めたことによるバックリング防止のため、下段中間支持材５でシールド機２を押える。すなわち、元押しジャッキ１の縮めた状態に戻した下段ジャッキ１１とシールド機２側の押し輪４との間に、図示のように、下段中間支持材５を挿入する。
【００１３】
この下段中間支持材５は、図示のように、元押しジャッキ１の下段ジャッキ１１の延長上に位置するロッド状のものである。
【００１４】
次に、図５は元押しジャッキ１の上段ジャッキ１２・１３を縮めた状態を示したもので、図示のように、元押しジャッキ１の２段の上段ジャッキ１２・１３を縮めた状態に戻す。
【００１５】
次に、図６は元押しジャッキ１とシールド機２の間に上段中間支持材６を挿入した状態を示したもので、元押しジャッキ１の上段ジャッキ１２・１３を縮めたことによるバックリング防止のため、上段中間支持材６でシールド機２を押える。すなわち、元押しジャッキ１の縮めた状態に戻した上段ジャッキ１２・１３とシールド機２側の押し輪４との間に、図示のように、上段中間支持材６を挿入する。
【００１６】
この上段中間支持材６は、図示例では、前後の押し材６１・６２を底版６３及び２段のロッド材６４・６５で繋いだ構成のもので、前後の押し材６１・６２及びロッド材６４・６５で囲まれた内部空間は上方に開放されている。なお、底版６３上には、図示しないが、レールが敷設されている。
【００１７】
以上の上方に開放された上段中間支持材６を、図６に示したように、押し輪４に押し材６１を当て、元押しジャッキ１の上段ジャッキ１２・１３に押し材６２を当てて、元押しジャッキ１とシールド機２の間に挿入する。
【００１８】
その後、元押しジャッキ１の下段ジャッキ１１及び上段ジャッキ１２・１３を押し出す。
【００１９】
次に、図７は元押しジャッキ１とシールド機２の間にさらに下段中間支持材５及び上段中間支持材６を挿入した状態を示したものである。すなわち、元押しジャッキ１の縮めた状態に戻した下段ジャッキ１１とシールド機２側の下段中間支持材５との間に、図示のように、下段中間支持材５を挿入する。そして、元押しジャッキ１の縮めた状態に戻した上段ジャッキ１２・１３とシールド機２側の上段中間支持材６との間に、図示のように、上段中間支持材６を挿入する。
【００２０】
以上のシールド発進は、図示しないエントランスにシールド機２が入り込むまで行われ、すなわち、元押しジャッキ１による推進でシールド機２の掘進が行われ、エントランスにシールド機２が入り込んだ後は、シールドジャッキによる推進で掘進が行われる。
【００２１】
以上、実施形態のシールド機発進によれば、従来の仮セグメントを不要とし、中間支持材を使用することで、仮掘進後の撤去作業を容易にできる。また、仮セグメントのようにシールド機内で組立てないため、元押しジャッキストローク分の長さ毎に連続掘削が可能となり、掘削時間の短縮となる。
その上、上方に開放された上段中間支持材６の底版６３上にレールが敷設されており、その上方からセグメント等の搬入および掘削土の搬出作業が容易にできるといった利点も得られる。
【００２２】
なお、以上の実施形態においては、上下３段の元押しジャッキとしたが、本発明はこれに限定されるものではなく、上下４段以上であっても良い。
また、上段中間支持材の形状等も任意であり、その他、具体的な細部構造等についても適宜に変更可能であることは勿論である。
【図面の簡単な説明】
【００２３】
【図１】本発明を適用した一実施形態の構成を示すもので、元押しジャッキとシールド機のセット状態を示した概略側面図である。
【図２】図１の元押しジャッキによるシールド機の推進状態を示した概略側面図である。
【図３】図２の元押しジャッキの下段ジャッキを縮めた状態を示した概略側面図である。
【図４】図３の元押しジャッキとシールド機の間に下段中間支持材を挿入した状態を示した概略側面図である。
【図５】図４の元押しジャッキの上段ジャッキを縮めた状態を示した概略側面図である。
【図６】図５の元押しジャッキとシールド機の間に上段中間支持材を挿入した状態を示した概略側面図である。
【図７】図６の元押しジャッキとシールド機の間にさらに下段中間支持材及び上段中間支持材を挿入した状態を示した概略側面図である。
【符号の説明】
【００２４】
１  元押しジャッキ
１１  下段ジャッキ
１２  上段ジャッキ
１３  上段ジャッキ
２  シールド機
３  セグメントリング
４  押し輪
５  下段中間支持材
６  上段中間支持材
【図１】
2009079399.tif 000003
【図２】
2009079399.tif 000004
【図３】
2009079399.tif 000005
【図４】
2009079399.tif 000006
【図５】
2009079399.tif 000007
【図６】
2009079399.tif 000008
【図７】
2009079399.tif 000009